(57)【要約】      （修正有）【課題】効率よくステッチングもしくはビーズ織りを行うことができるレイアウトライン、これを用いたステッチングキットまたはビーズ織りキット、なびにこれらを用いたステッチング方法またはビーズ織り方法を提供する。【解決手段】ステッチングに使用するレイアウトライン１００は、ステッチングでのデザイン画の作成に必要な全てのビーズ２００を１本のテグス３００に通したものであり、レイアウトラインをセットしてデザイン画をステッチングするためのステッチングステージと、を備えるステッチングキット。【選択図】図３
2019123980.tif 000002
【特許請求の範囲】
【請求項１】
ステッチングに使用するレイアウトラインであって、
前記レイアウトラインは、ステッチングでのデザイン画の作成に必要な全てのビーズを１本のテグスに通したものである
ことを特徴とするレイアウトライン。
【請求項２】
請求項１に記載のレイアウトラインと、
前記レイアウトラインをセットして前記デザイン画をステッチングするためのステッチングステージと、を備えたことを特徴とするステッチングキット。
【請求項３】
前記ステッチングキットは、前記レイアウトライン作成のためのビーズリストをさらに備え、
前記ビーズリストは、前記デザイン画をステッチングするために必要なビーズの色、数量及び配置を視覚化した表である
請求項２に記載のステッチングキット。
【請求項４】
前記ステッチングステージは、前記レイアウトラインをステッチングするためのステージと、
前記ステージよりも低い位置から前記テグスにテンションを掛けた状態で前記レイアウトラインを保持できる引掛け部とを備える
請求項２または３に記載のステッチングキット。
【請求項５】
前記デザイン画は、ペヨーテ、スクエアまたはシェイプドによるデザイン画である
請求項１〜４のいずれか一項に記載のステッチングキット。
【請求項６】
レイアウトラインを使用してデザイン画をステッチングするステッチング方法であって、
前記レイアウトラインは、請求項１に記載のレイアウトラインである
ことを特徴とするステッチング方法。
【請求項７】
ビーズ織りに使用するレイアウトラインであって、
前記レイアウトラインは、ビーズ織りでのデザイン画の作成に必要な全てのビーズを１本のテグスに通したものである
ことを特徴とするレイアウトライン。
【請求項８】
請求項７に記載のレイアウトラインと、
矩形状の板状部材とを備え、
前記板状部材の短手方向と直交する両端面に所定間隔で切込みが設けられ、前記切込みにジグザグ状に前記レイアウトラインが巻き付けられていることを特徴とするビーズ織りキット。
【請求項９】
ビーズ織りキットを使用してデザイン画をビーズ織りするビーズ織り方法であって、
前記ビーズ織りキットは、請求項８に記載のビーズ織りキットである
ことを特徴とするビーズ織り方法。
【発明の詳細な説明】
【技術分野】
【０００１】
本発明は、ステッチングまたはビーズ織りに使用するレイアウトライン、これを用いたステッチングキットまたはビーズ織りキット、ならびにこれらを用いたステッチング方法またはビーズ織り方法に関する。
【背景技術】
【０００２】
ビーズを使ったアクセサリの作成は、世界中で広く普及しているハンドメイドホビーであり、主にイヤリングやキートップ等のアクセサリが作成されている。ステッチ作業としては、ペヨーテ、スクエア、シェイプドが知られている。この３種のステッチでは、同じ方向にビーズが並んでおり、同じ大きさ（同じ規格）のビーズの色を取り混ぜて結束していくことで、独特の模様や形のアクセサリを作成することができる。
【０００３】
ところで、アクセサリデザインは手描きが主流であるが、最近はコンピュータを使って、デザイン画の出力と材料ビーズの種類（色等）と数量のリストが出せるものも提案されている。また、ステッチングキットとしては、ステッチングに必要なデザイン画や、それに使用するビーズの種類（色等）と数量を揃えて袋詰したものが販売されている（例えば、特許文献１等）。
【０００４】
しかしながら、従来のステッチングキットは、ビーズの入った容器からデザイン画に該当するビーズを一つ一つ順番に拾ってはステッチ針とスレッド（糸）で結束して行くというステッチングをビーズの数だけ繰り返す必要がある。ステッチング作業中は、通常、ビーズを種類ごとに別の容器に入れ机上で保管しているが、ビーズを拾う時に取り損ねて他のビーズを散らかすことが多く、ステッチングの作業効率が悪いという問題がある。
【先行技術文献】
【特許文献】
【０００５】
【特許文献１】特開２０１２−２１７７１４号公報
【発明の概要】
【発明が解決しようとする課題】
【０００６】
本発明は、効率よくステッチングもしくはビーズ織りを行うことができるレイアウトライン、これを用いたステッチングキットまたはビーズ織りキット、なびにこれらを用いたステッチング方法またはビーズ織り方法を提供することを目的とする。
【課題を解決するための手段】
【０００７】
本発明の一態様に係るレイアウトラインは、ステッチングに使用するレイアウトラインであって、前記レイアウトラインは、ステッチングでのデザイン画の作成に必要な全てのビーズを１本のテグスに通したものである。
【０００８】
別の態様に係るステッチングキットは、上述のレイアウトラインと、前記レイアウトラインをセットして前記デザイン画をステッチングするためのステッチングステージと、を備えている。
【０００９】
また、別の態様に係るステッチング方法は、レイアウトラインを使用してデザイン画をステッチングするステッチング方法であって、前記レイアウトラインは、上述のレイアウトラインである。
【００１０】
別の態様に係るレイアウトラインは、ビーズ織りに使用するレイアウトラインであって、  前記レイアウトラインは、ビーズ織りでのデザイン画の作成に必要な全てのビーズを１本のテグスに通したものである。
【００１１】
また、別の態様に係るビーズ織りキットは、上述のレイアウトラインと、矩形状の板状部材とを備え、前記板状部材の短手方向と直交する両端面に所定間隔で切込みが設けられ、前記切込みにジグザグ状に前記レイアウトラインが巻き付けられている。
【００１２】
また、別の態様に係るビーズ織り方法は、ビーズ織りキットを使用してデザイン画をビーズ織りするビーズ織り方法であって、前記ビーズ織りキットは、上述のビーズ織りキットである。
【発明の効果】
【００１３】
本発明によれば、効率よくステッチングもしくはビーズ織りを行うことができる。
【図面の簡単な説明】
【００１４】
【図１】本発明の一態様に係るステッチングキットのデザイン画を示す図である。
【図２】本発明の一態様に係るステッチングキットのビーズリストを示す図である。
【図３】本発明の一態様に係るステッチングキットのレイアウトラインを示す図である。
【図４】本発明の一態様に係るステッチングキットのステッチングステージの斜視図を示す。
【図５】本発明の一態様に係るステッチングキットのステッチングステージの正面図を示す。
【図６】本発明の一態様に係るステッチングキットのステッチングステージの側面図を示す。
【図７】本発明の一態様に係るステッチングキットのステッチングステージの斜視図を示す。
【図８】本発明の一態様に係るステッチングステージにレイアウトラインを掛けた状態を示す図である。
【図９】本発明の一態様に係るステッチング方法を示す図である。
【図１０】本発明の一態様に係るビーズ織りに使用するデザイン画を示す図である。
【図１１】本発明の一態様に係るビーズ織りキットのレイアウトライン及び板状部材を示す図である。
【図１２】本発明の一態様に係るビーズ織りキットのレイアウトライン及び板状部材を示す図である。
【図１３】本発明の一態様に係るビーズ織り方法を示す図である。
【図１４】本発明の一態様に係るビーズ織り方法を示す図である。
【発明を実施するための形態】
【００１５】
＜概要＞
本発明の一態様に係るレイアウトラインは、ステッチングに使用するレイアウトラインであって、前記レイアウトラインは、ステッチングでのデザイン画の作成に必要な全てのビーズを１本のテグスに通したものである。このレイアウトラインを使用することにより、効率よくステッチングを行うことができる。すなわち、予めビーズがテグスにセットされたレイアウトラインを使用するため、容器からビーズを拾う時に取り損ねて他のビーズを散らかす等の問題もない。
【００１６】
別の態様に係るステッチングキットは、上述のレイアウトラインと、前記レイアウトラインをセットして前記デザイン画をステッチングするためのステッチングステージと、を備えている。これにより、ステッチングステージ上でレイアウトラインのステッチングをより効率的に行うことができる。すなわち、ビーズがステッチングステージにセットされているので持ち運びしやすく、場所を選ばずステッチができる。また、カフェのような場所や、隙間時間でも作業ができるので、ビーズアクセサリ制作にほとんど興味のない人間でも、気軽にステッチングを行うことができる。
【００１７】
別態様に係るステッチングキットにおいて、前記ステッチングキットは、前記レイアウトライン作成のためのビーズリストをさらに備え、前記ビーズリストは、前記デザイン画をステッチングするために必要なビーズの色、数量及び配置を視覚化した表である。これにより、ステッチングの効率が向上する。
【００１８】
別態様に係るステッチングキットにおいて、前記ステッチングステージは、前記レイアウトラインをステッチングするためのステージと、前記ステージよりも低い位置から前記テグスにテンションを掛けた状態で前記レイアウトラインを保持できる引掛け部とを備える。これにより、ステッチングの効率がさらに向上する。
【００１９】
別態様に係るステッチングキットにおいて、前記デザイン画は、ペヨーテ、スクエアまたはシェイプドによるデザイン画である。これらは、同じ方向にビーズが並んでいるため、ステッチングステージ上でデザイン画と同じ並びにステッチングを行うことができる。
【００２０】
また、別の態様に係るステッチング方法は、レイアウトラインを使用してデザイン画をステッチングするステッチング方法であって、前記レイアウトラインは、上述のレイアウトラインである。これにより、ステッチングの効率が向上する。
【００２１】
別の態様に係るレイアウトラインは、ビーズ織りに使用するレイアウトラインであって、  前記レイアウトラインは、ビーズ織りでのデザイン画の作成に必要な全てのビーズを１本のテグスに通したものである。このレイアウトラインを使用することにより、効率よくビーズ織りを行うことができる。すなわち、予めビーズがテグスにセットされたレイアウトラインを使用するため、容器からビーズを拾う時に取り損ねて他のビーズを散らかす恐れがなく、また、手元に余分なビーズをストックする必要もないので、ビーズ織りの効率が向上する。
【００２２】
また、別の態様に係るビーズ織りキットは、上述のレイアウトラインと、矩形状の板状部材とを備え、前記板状部材の短手方向と直交する両端面に所定間隔で切込みが設けられ、前記切込みにジグザグ状に前記レイアウトラインが巻き付けられている。このレイアウトラインを使用することにより、デザインに使われているビーズをビーズ織り機の横糸に簡単にセットすることができるため、効率よくビーズ織りを行うことができる。
【００２３】
また、別の態様に係るビーズ織り方法は、ビーズ織りキットを使用してデザイン画をビーズ織りするビーズ織り方法であって、前記ビーズ織りキットは、上述のビーズ織りキットである。これにより、ビーズ織りの効率が向上する。
【００２４】
＜第１実施形態＞
以下、本発明の一態様に係るレイアウトライン及びステッチングキットについて、図面を参照して説明する。なお、本発明は、以下の実施形態に限定されるものではない。
【００２５】
図１はデザイン画を示し、図２は図１のデザイン画の作成に必要なビーズリストを示し、図３は図２のビーズリストに従って作成したレイアウトラインを示す。図４〜図７はステッチングステージを示す。
【００２６】
１．全体構成
本実施形態のステッチングキットは、少なくともレイアウトラインを備える。ここでは、さらにデザイン画と、ステッチングステージと、ビーズリストとを備える
【００２７】
２．デザイン画
デザイン画とは、作成したいビーズデザインである。本実施形態におけるデザイン画は、ビーズが全て同じ方向を向いているものであり、例えば、ペヨーテ、スクエア、シェイプド等があげられる。
【００２８】
ここでは、図１に示すペヨーテのデザイン画（縦６段×横７個のビーズ）について説明する。図中の数字（１，２，３，９，２１）は、ビーズの色を示す。例えば、９は白色、２１は銀色を示す。ここでは、デザイン画の作成は、コンピュータのソフトウエアで行う。
【００２９】
３．ビーズリスト
ビーズリストは、デザイン画の作成に必要なビーズの色、数量や配置等を視覚化した表等の明細である。図２のビーズリストでは、全ての段（１段から１２段）において、左端から右端へとビーズ２００をテグスに通してレイアウトラインを作成できるように、実際のデザイン画とビーズの並びを左右反転させている。
【００３０】
ここでは、ビーズリストの作成はコンピュータのソフトウエアで行う。デザイン画の作成と同時に、レイアウトライン用のビーズリストを作成することもできる。
【００３１】
４．レイアウトライン
本実施形態におけるレイアウトラインは、デザイン画（図１参照）の作成に必要な全てのビーズを１本のテグスに通したものである。
【００３２】
図３は、図２のビーズリストをもとに作成したレイアウトライン１００である。
【００３３】
図３において、下側のビーズ２００は図２のビーズリストの１段目のビーズ２００に対応し、上側のビーズ２００は図２のビーズリストの１２段目のビーズ２００に対応している。すなわち、図３のレイアウトライン１００は、下側がレイアウトライン１００の先端側１０１を示し、上側がレイアウトライン１００の末端側１０３を示す。
【００３４】
ペヨーテのデザイン画は、全てのビーズ２００の穴が横に向いているため、デザインされたビーズ２００を一筆書きの要領でテグス３００に通していくことで、全てのビーズ２００を一本のテグス３００に通してレイアウトライン１００を作成することができる。
【００３５】
具体的には、図２のビーズリストの１段目の左端のビーズ２００から右端のビーズ２００へと順番に、１本のテグス３００に通す。すなわちビーズ（番号１）を４個連続して通す。次に２段目の左端から右端へと順番に、ビーズ（番号２）、ビーズ（番号１０）、ビーズ（番号２）を１本のテグス３００に通す。この作業を、１２段目のビーズ２００まで繰り返すことにより、レイアウトライン１００を作成することができる。ここでは、ビーズ２００の並びが改行される毎、すなわち段が変わる毎に、目印としてシリコン管２１０を２個通している。このように、「ビーズ２００は左端から取る。右端まで取ったらシリコン管２１０を通す。」というようにルーチン作業をすることにより、レイアウトライン１００の作成のミスをなくすことができ、効率よくレイアウトライン１００を作成することができる。
【００３６】
４−１．ビーズ
使用するビーズ２００の色は、デザイン画に応じて適宜決まるが、例えば、白、銀、赤、黒等があげられる。また、使用するビーズ２００の形状は特に限定はなく、例えば、丸形状や六角形状等があげられる。
【００３７】
実施形態では、ビーズ２００は全て同じ規格（大きさ）のものを使用している。ここでは、株式会社MIYUKI社製のデリカビーズの「ラウンド（丸形状）」で、シリンダー外径：約１．３ｍｍ、シリンダー内径：約０．６５〜０．７ｍｍ、シリンダー長：約１．１５ｍｍを使用している。
【００３８】
４−２．テグス
テグス３００とは、通常、ナイロンやフロロカーボン等の合成繊維でできたコードやひもをいう。テグスは、号数が大きいほど太く、無色透明の他いろいろなカラーがある。ここでは、無色透明のナイロン製のテグス（０．２ｍｍ）３００を使用する。
【００３９】
５．ステッチングステージ
図４〜図７はステッチングステージ４００を示す。図４はステッチングステージ４００の斜視図、図５はステッチングステージ４００の正面図、図６はステッチングステージ４００の側面図、図７はステッチングステージ４００の斜視図を示す。
【００４０】
ここでは、レイアウトライン１００を引掛けた状態、もしくはレイアウトライン１００を引掛ける途中の状態を示す。
【００４１】
ステッチングステージ４００は、正面から見て中央部の凸状のステージ（作業台）４０１と、その両端側のテーパ状の引掛け部４０２とを有する。
【００４２】
５−１．ステージ
ステージ４０１は、平坦な矩形状であり、この上にセットしたレイアウトライン１００のステッチングを行う。
【００４３】
５−２．引掛け部
引掛け部４０２は、テグス３００にテンションが掛かるようにステージ４０１よりも高さが低く、テーパ状になっている。引掛け部４０２の一部は、レイアウトラインの引掛け等の作業がしやすいように、上方が開口した凹部４０３に形成されている。引掛け部４０２は、レイアウトラインを引掛けるための複数個（ここでは６個）のフック４１１を有し、フック４１１の先端は、ゴム４１２により引掛け部４０２に固定されている。これにより、ステージ４０１の高さより低い位置からテグス３００にテンションを掛けることができ、レイアウトライン１００をステージ４０１の表面に張り付くようにセットすることができる。つまり、ステッチング中にビーズ２００間の隙間が狭くなったとしても、ビーズ２００のレイアウトが維持されるため、ビーズ２００にステッチ針とスレッドを通す作業が容易となる。また、ステッチが完成した部分のビーズ２００の緩みも発生しない。
【００４４】
６．ステッチング
図８は、ステッチングステージ４００にレイアウトライン１００を掛けた状態を示す図であり、図９は一部ステッチングした状態を示す図である。
【００４５】
本実施形態におけるステッチングについて、主に、図３、図８及び図９を用いて説明する。
【００４６】
まず、レイアウトライン１００の先端側１０１を、ステッチングステージ４００の左側の一番上のフック４１１に掛け、テグス３００が滑らないようにクリップ４２０で留める。クリップ４２０で留めた側と反対側のレイアウトライン１０２を、ステッチングステージの右側の一番上のフック４１１に掛け、あとはジグザク状にレイアウトライン１００の末端側１０３までテンションを掛けた状態で、レイアウトライン１００をステッチングステージ４００にセットする。レイアウトライン１００の末端側１０３も、テグス３００が滑らないようにクリップ４２０で留める。
【００４７】
次に、図９に示すように、ステッチ針５００とスレッド６００とを使用して、ステッチングステージ４００の一番上の段の左端のビーズ２００から右端のビーズ２００へと順に、一つ一つのビーズ２００を結束してステッチングを行う。ビーズ２００にスレッド６００を通した後は、ビーズ２００からレイアウトライン１００用のテグス３００は抜き取る。また、シリコン管２１０は単なる目印のため、スレッド６００には通さない。次に、下の段の右端のビーズ２００から左端のビーズ２００へと順にステッチングを行う。一番下の段のビーズ２００までジグザグ状にステッチングを行うことにより、図１に示したデザイン画を作成することができる。
【００４８】
なお、ここでのレイアウトライン１００はビーズ２００の数が少なく（段が少なく）、一部のみを示しているが、ビーズ２００の数が増えれば再びレイアウトライン１００をステッチングステージ４００にセッティングし直しながらステッチングを繰り返し行う。
【００４９】
７．ステッチ針、スレッド
ステッチ針５００は、通常のビーズステッチに使用するビーズ専用針であれば特に限定はないが、何度も同じビーズに通すことが多いため、細くてしなやかな針が好ましい。
【００５０】
スレッド６００とは、ビーズステッチ用の糸のことであり、作成したいデザイン画によって糸の種類や大きさ等を選択することができる。ここでは、レイアウトライン用のテグス（０．２ｍｍ）３００よりも太いスレッドを使用している。
【００５１】
８．効果
本実施形態によれば、デザイン画を作成するための全てのビーズ２００が、レイアウトライン１００の状態で予め用意されているので、レイアウトライン１００をステッチングステージ４００にセットして直ちにステッチングに取り組むことができる。ステッチングの作業者にとっては、ステッチングステージ４００にはすでにデザインが実現されているおり、アクセサリの完成した姿を容易に想像しながら作業が進められるので、ステッチングへの興味や集中力が増大し、ステッチングを効率よく行うことができる。また、本実施形態によれば、ステッチングの際に場所をとらないので、省スペースでのステッチングが可能となる。デザイン画に応じたレイアウトラインを準備することにより、多種多様のステッチングキットを提供することができる。
【００５２】
＜変形例＞
以上、一実施形態を説明したが、本発明はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本発明に含まれる。
【００５３】
１．ステッチングキット
実施形態のステッチングキットは、レイアウトラインと、デザイン画と、ステッチングステージと、ビーズリストとを備えていたが、レイアウトラインを備えてさえいれば、その他は任意である。
【００５４】
また、実施形態のステッチングキットは、予めビーズをテグスに通した状態の完成品のレイアウトラインであるが、レイアウトラインは一部もしくは全部が未完成品であってもよい。すなわち、ステッチングキットの購入者が、ビーズリストからテグスにビーズを通してレイアウトラインを作成するようにしても差し支えない。
【００５５】
２．ステッチング
実施形態では、ステッチングステージ４００の１段目の左側からレイアウトライン１００を引掛けてステッチングを行っているが、右側からレイアウトライン１００を引掛けてステッチングを行っても差し支えない。
【００５６】
また、ステッチングステージ４００の一番上の段からではなく、一番下の段からレイアウトライン１００を引掛けてステッチングを行っても差し支えない。
【００５７】
３．デザイン画
実施形態ではペヨーテのデザイン画について説明したが、スクエア、シェイプド等のデザイン画であっても差し支えない。
【００５８】
なお、デザイン画は、例えば完成写真等で代用しても差し支えない。
【００５９】
４．シリコン管
レイアウトラインは、段が変わる毎に目印としてシリコン管２１０を２個通したが、目印はシリコン管２１０でなくてもよく、またシリコン管２１０の数も２個に限定されるものではない。なお、目印は省略しても差し支えない。
【００６０】
５．クリップ
実施形態ではレイアウトラインの両端側はクリップ４２０で留めたが、レイアウトライン用のテグス３００が滑らなければクリップ４２０に限定されず、例えば、引掛け部４０２側に突起等を設け、テグス３００を突起等に数回巻き付けようにしても差し支えない。
【００６１】
６．ゴム
実施形態では、フック４１１の先端はゴム４１２により引掛け部４０２に固定したが、伸縮性のある素材であればゴムに限定されるものではない。
【００６２】
＜第２実施形態＞
以下、本発明の一態様に係るレイアウトライン及びビーズ織りキットについて、図面を参照して説明する。なお、本発明は、以下の実施形態に限定されるものではない。
【００６３】
図１０はデザイン画を示し、図１１及び図１２はビーズ織りキットのレイアウトライン及び板状部材を示す。図１３及び図１４は、ビーズ織り方法を示す。
【００６４】
１．全体構成
本実施形態のビーズ織りキットは、少なくともレイアウトラインを備える。ここでは、さらにデザイン画と、板状部材と、ビーズ織り機とを備える
【００６５】
２．デザイン画
デザイン画とは、ビーズ織りで作成したいビーズデザインである。
【００６６】
ここでは、図１０に示すスクエアのデザイン画（縦１１段×横６個のビーズ）について説明する。図中の数字（１，２）は、ビーズの色を示す。例えば、１は銀色、２は白色を示す。ここでは、デザイン画の作成は、コンピュータのソフトウエアで行う。
【００６７】
３．レイアウトライン
図１１、図１２に示すレイアウトライン８００は、ビーズ織りでのデザイン画（図１０参照）の作成に必要な全てのビーズ８０１を１本のテグス８０２に通したものである。
【００６８】
ビーズ織りでのレイアウトラインの作成においても、第１実施形態に示したと同様のビーズリスト（図２参照）を使用するが、ここではビーズリストの説明は省略する。
【００６９】
ビーズ８０１の並びが改行される毎、すなわち段が変わる毎に、目印としてシリコン管８１０を２個通している。
【００７０】
４．板状部材
長方形状の板状部材７０１の長手方向に沿った両端面７０２，７０３（短手方向と直交する両端面）には、レイアウトライン８００を引っ掛けるためのＶ字状の切込み７０４が所定間隔で設けられている。
【００７１】
ここでは、左端面７０２には、１段目から２９段目まで所定間隔で切込み７０４が設けられている。左端面７０２の切込み７０４には、レイアウトラインの段数が一目で分かるように上から下へと順番に番号を付している。
【００７２】
また、右端面７０３にも同様に、１段目から２９段目まで所定間隔で切込み７０４が設けられている。
【００７３】
両端に入れた同じ段の切込み７０４には、レイアウトライン８００が１段ずつ並ぶようになっている。
【００７４】
レイアウトライン８００は、左端面７０２の１段目の切込み７０４、右端面７０３の１段目の切込み７０４、左端面７０２の２段目の切込み７０４、右端面７０３の２段目の切込み７０４、・・・左端面７０２の１１段目の切込み７０４、右端面７０３の１１段目の切込み７０４へと、一筆書きの要領で１段ずつジグザグ状に巻き付けられている。
【００７５】
これにより、板状部材７０１上にデザイン画（図１０参照）と同じレイアウトのビーズ８０１を再現することができる。
【００７６】
板状部材７０１に巻き付けたレイアウトライン８００のビーズ８０１を左上から１段ずつ拾って、ビーズ織り機９１０の横糸に通してビーズ織りすることで、デザイン画を作成することができる。
【００７７】
板状部材７０１の材質は、特に限定はなく、例えば、紙、樹脂等があげられる。
【００７８】
５．ビーズ織り機
図１３、図１４は、ビーズ織りに使用するビーズ織り機９１０を示す。
９１１は、縦糸９２０を張る時に糸を掛ける柱部を示し、ビーズ織り機９１０の上下に各１ヶ所設けられている。
【００７９】
６．ビーズ織り
ビーズ織り機９１０に、ビーズ８０１を挟むための所定の間隔を開けて縦糸９２０をセットする。ここでは、図１０のデザイン画（縦１１段×横６個のビーズ）をデザインするため、ビーズ織り機９１０に縦糸９２０を７本セットする。
【００８０】
次に、図１１、図１２に示すように、板状部材７０１に巻き付けたレイアウトライン８００の１段目のビーズ８０１を、左端面７０２側から右端面７０３側へとビーズ針９００に結んだテグス９０１に通して、レイアウトライン８００から抜き取る。このテグス９０１（横糸）の端を左端の縦糸９２０に結束し、１段目のビーズ８０１を縦糸９２０の下をくぐらせて、縦糸９２０の間に各ビーズ８０１が一直線に並ぶように指で抑えながら配置する。右端でテグス９０１（横糸）を折り返し、今度は縦糸９２０の上から、揃えたビーズに通す。左端まで通したら再度縦糸９２０と結束する。この要領で２段目以降も同様に１段ずつ繰り返しビーズ織りを完成させていく。
【００８１】
本実施形態によれば、板状部材７０１に巻き付けたレイアウトライン８００を使用することにより、デザインに使われているビーズをビーズ織り機９１０の横糸に簡単にセットすることができるため、効率よくビーズ織りを行うことができる。すなわち、予めビーズがテグスにセットされたレイアウトラインを使用するため、容器からビーズを拾う時に取り損ねて他のビーズを散らかす恐れがなく、また、手元に余分なビーズをストックする必要もないので、ビーズ織りの効率が向上する。
【００８２】
＜変形例＞
以上、一実施形態を説明したが、本発明はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本発明に含まれる。
【００８３】
１．デザイン画
実施形態ではスクエアのデザイン画について説明したが、他のデザイン画であっても差し支えない。
【００８４】
２．板状部材
実施形態の板状部材７０１は、長方形であるが、正方形であってもよい。
実施形態では、切込み７０４は、Ｖ字形状であるが、レイアウトラインのテグスを引っ掛けることができ、抜けない形状であればよく、Ｖ字形状に限定されるものではない。
【符号の説明】
【００８５】
１００  レイアウトライン
２００  ビーズ
３００  テグス
４００  ステッチングステージ
５００  ステッチ針
６００  スレッド
【図１】
2019123980.tif 000003
【図２】
2019123980.tif 000004
【図３】
2019123980.tif 000005
【図４】
2019123980.tif 000006
【図５】
2019123980.tif 000007
【図６】
2019123980.tif 000008
【図７】
2019123980.tif 000009
【図８】
2019123980.tif 000010
【図９】
2019123980.tif 000011
【図１０】
2019123980.tif 000012
【図１１】
2019123980.tif 000013
【図１２】
2019123980.tif 000014
【図１３】
2019123980.tif 000015
【図１４】
2019123980.tif 000016